【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
アプリケーションがインストールされているクライアント端末と通信可能で、帳票画面を設計可能な情報処理装置において、
帳票画面を設計可能な画面設計エディタを起動する画面設計エディタ起動手段と、
前記画面設計エディタ起動手段により起動された画面設計エディタに対して、ドラッグアンドドロップ操作により帳票の設計がされた前記アプリケーションにより編集可能なアプリケーションファイルの入力を受け付けるアプリケーションファイル受付手段と、
前記アプリケーションファイル受付手段によりアプリケーションファイルを受け付けたことに応じて、当該アプリケーションファイルを用いて、前記クライアント端末にインストールされているアプリケーションに対して、所定の形式の画像データを取得するための要求をする画像データ要求手段と、
前記画像データ要求手段による要求に応じて取得した所定の形式の画像データから得られる帳票のイメージを、前記画面設計エディタの画面上に配置する配置手段と
を備えることを特徴とする情報処理装置。
【請求項２】
前記画像データ要求手段は、前記アプリケーションファイルに設定された印刷範囲を示す情報を用いて、前記クライアント端末にインストールされているアプリケーションに対して、当該印刷範囲に含まれる画像データであって、所定の形式の画像データを取得するための要求をすることを特徴とする請求項１に記載の情報処理装置。
【請求項３】
取得する画像データの形式の設定を受け付ける設定受付手段を更に備え、
前記画像データ要求手段は、前記設定受付手段により受け付けた設定に従った形式の画像データを取得するための要求をすることを特徴とする請求項１または２に記載の情報処理装置。
【請求項４】
前記アプリケーションは、表計算アプリケーションであり、前記アプリケーションファイルは、表計算アプリケーションファイルであることを特徴とする請求項１乃至３のいずれか１項に記載の情報処理装置。
【請求項５】
前記表計算アプリケーションファイルに含まれるセルから取り込み対象となる文字列が定義された定義情報を記憶する記憶手段と、
前記アプリケーションファイルに設定された印刷範囲を示す情報を用いて、当該印刷範囲に含まれるセル情報を、前記クライアント端末にインストールされている表計算アプリケーションから取得するための要求をするセル情報要求手段と、
前記表計算アプリケーションから返却されたセル情報を取得するセル情報取得手段と、
前記セル情報取得手段により取得されたセル情報を用いて、前記アプリケーションファイル受付手段により受け付けた表計算アプリケーションファイルに含まれるセルに配置される文字列を取得する文字列取得手段とを更に備え、
前記配置手段は、前記記憶手段により記憶される定義情報を用いて、前記文字列取得手段により取得した文字列から取得される値を、前記画面設計エディタの画面上に配置することを特徴とする請求項４に記載の情報処理装置。
【請求項６】
前記配置手段は、前記画像データ要求手段による要求に応じて取得した所定の形式の画像データを変換して配置した場合、前記セル情報取得手段により取得したセル情報に含まれるセルの高さおよび幅を当該変換した画像データの高さおよび幅の比率に補正する補正手段を更に備えることを特徴とする請求項５に記載の情報処理装置。
【請求項７】
アプリケーションがインストールされているクライアント端末と通信可能で、帳票画面を設計可能な情報処理装置における情報処理方法において、
帳票画面を設計可能な画面設計エディタを起動する画面設計エディタ起動ステップと、
前記画面設計エディタ起動ステップにより起動された画面設計エディタに対して、ドラッグアンドドロップ操作により帳票の設計がされた前記アプリケーションにより編集可能なアプリケーションファイルの入力を受け付けるアプリケーションファイル受付ステップと、
前記アプリケーションファイル受付ステップによりアプリケーションファイルを受け付けたことに応じて、当該アプリケーションファイルを用いて、前記クライアント端末にインストールされているアプリケーションに対して、所定の形式の画像データを取得するための要求をする画像データ要求ステップと、
前記画像データ要求ステップによる要求に応じて取得した所定の形式の画像データから得られる帳票のイメージを、前記画面設計エディタの画面上に配置する配置ステップと
を含むことを特徴とする情報処理方法。
【請求項８】
アプリケーションがインストールされているクライアント端末と通信可能で、帳票画面を設計可能な情報処理装置において実行可能なプログラムであって、
帳票画面を設計可能な画面設計エディタを起動する画面設計エディタ起動手段、
前記画面設計エディタ起動手段により起動された画面設計エディタに対して、ドラッグアンドドロップ操作により帳票の設計がされた前記アプリケーションにより編集可能なアプリケーションファイルの入力を受け付けるアプリケーションファイル受付手段、
前記アプリケーションファイル受付手段によりアプリケーションファイルを受け付けたことに応じて、当該アプリケーションファイルを用いて、前記クライアント端末にインストールされているアプリケーションに対して、所定の形式の画像データを取得するための要求をする画像データ要求手段、
前記画像データ要求手段による要求に応じて取得した所定の形式の画像データから得られる帳票のイメージを、前記画面設計エディタの画面上に配置する配置手段
として前記情報処理装置を機能させることを特徴とするプログラム。
【請求項９】
アプリケーションがインストールされているクライアント端末と、帳票画面を設計可能な情報処理装置とが通信可能な情報処理システムにおいて、
帳票画面を設計可能な画面設計エディタを起動する画面設計エディタ起動手段と、
前記画面設計エディタ起動手段により起動された画面設計エディタに対して、ドラッグアンドドロップ操作により帳票の設計がされた前記アプリケーションにより編集可能なアプリケーションファイルの入力を受け付けるアプリケーションファイル受付手段と、
前記アプリケーションファイル受付手段によりアプリケーションファイルを受け付けたことに応じて、当該アプリケーションファイルを用いて、前記クライアント端末にインストールされているアプリケーションに対して、所定の形式の画像データを取得するための要求をする画像データ要求手段と、
前記画像データ要求手段による要求に応じて取得した所定の形式の画像データから得られる帳票のイメージを、前記画面設計エディタの画面上に配置する配置手段と
を備えることを特徴とする情報処理システム。
【手続補正２】
【補正対象書類名】明細書
【補正対象項目名】発明の名称
【補正方法】変更
【補正の内容】
【発明の名称】情報処理装置、情報処理方法、プログラム、情報処理システム
【手続補正３】
【補正対象書類名】明細書
【補正対象項目名】０００８
【補正方法】変更
【補正の内容】
【０００８】
本発明は、上記課題を解決するものであり、帳票の設計がされているアプリケーションファイルを用いて、画面設計エディタに帳票のイメージを取り込むことを可能とする技術を提供することを目的とする。
【手続補正４】
【補正対象書類名】明細書
【補正対象項目名】０００９
【補正方法】変更
【補正の内容】
【０００９】
本発明は、アプリケーションがインストールされているクライアント端末と通信可能で、帳票画面を設計可能な情報処理装置において、帳票画面を設計可能な画面設計エディタを起動する画面設計エディタ起動手段と、前記画面設計エディタ起動手段により起動された画面設計エディタに対して、ドラッグアンドドロップ操作により帳票の設計がされた前記アプリケーションにより編集可能なアプリケーションファイルの入力を受け付けるアプリケーションファイル受付手段と、前記アプリケーションファイル受付手段によりアプリケーションファイルを受け付けたことに応じて、当該アプリケーションファイルを用いて、前記クライアント端末にインストールされているアプリケーションに対して、所定の形式の画像データを取得するための要求をする画像データ要求手段と、前記画像データ要求手段による要求に応じて取得した所定の形式の画像データから得られる帳票のイメージを、前記画面設計エディタの画面上に配置する配置手段とを備えることを特徴とする。
【手続補正５】
【補正対象書類名】明細書
【補正対象項目名】００１０
【補正方法】変更
【補正の内容】
【００１０】
本発明によれば、帳票の設計がされているアプリケーションファイルを用いて、画面設計エディタに帳票のイメージを取り込むことが可能となる。